(57)【要約】      （修正有）【課題】圧迫感や痛み等の不快感を軽減しつつ、人体の上腕部と上腕保護体を密着させて位置ズレを防止可能で、しかも、耐久性に優れると共に修理が容易なアームガードを提供する。【解決手段】上腕保護体１と、人体の上腕部Ｊに巻き付けて取着されるベルト部材２とを、面状ファスナＦを介して、着脱自在に連結した。上腕保護体１は下方へ一体延伸状の肘保護垂下部を有し、肘保護体が連繋されており、上腕保護体１に設けた面状ファスナＦの雌雄一方部の上下幅寸法を、ベルト部材２の面状ファスナＦの雌雄他方部の上下幅寸法よりも大きく設定した。【選択図】図１
2019183302.tif 000002
【特許請求の範囲】
【請求項１】
上腕保護体（１）と、人体の上腕部（Ｊ）に巻き付けて取着されるベルト部材（２）とを、面状ファスナ（Ｆ）を介して、着脱自在に連結したことを特徴とするアームガード。
【請求項２】
上記上腕保護体（１）は、下方へ一体延伸状の肘保護垂下部（１ｄ）を有する請求項１記載のアームガード。
【請求項３】
上記上腕保護体（１）は、下端部に、肘保護体（８）が連繋されている請求項１記載のアームガード。
【請求項４】
上記上腕保護体（１）に設けた上記面状ファスナ（Ｆ）の雌雄一方部（Ｆａ）の上下幅寸法（Ｗ１）を、上記ベルト部材（２）の上記面状ファスナ（Ｆ）の雌雄他方部（Ｆｂ）の上下幅寸法（Ｗ２）よりも、大きく設定した請求項１，２又は３記載のアームガード。
【請求項５】
上記上腕保護体（１）は、上記面状ファスナ（Ｆ）の雌雄一方部（Ｆａ）を、横断面弯曲状の表て面（１ａ）に左右方向に沿って有し、
上記ベルト部材（２）は、上記面状ファスナ（Ｆ）の雌雄他方部（Ｆｂ）を、上記上腕保護体（１）の左右半部夫々に取着可能に左右一対有し、
上記ベルト部材（２）を上記上腕部（Ｊ）に巻き付けて取着した装着状態において、上記上腕保護体（１）の一側端縁（11ｅ）から他側端縁（11ｆ）までの周方向長さ（Ｌ）に対して、上記上腕保護体（１）の各側端縁（11ｅ）（11ｆ）から上記ベルト部材（２）の各ファスナ先端縁（２ｄ）までの周方向取付け長さ（Ｓ）を、２０％以上５０％以下に設定した請求項１，２，３又は４記載のアームガード。
【発明の詳細な説明】
【技術分野】
【０００１】
本発明は、アームガードに関する。
【背景技術】
【０００２】
従来、野球やソフトボール等の打者の腕を保護するためのアームガードは、腕部を保護するための腕保護体に、上腕部に巻き付けて取着されるベルト部材を、縫製にて固着（縫着）したものがあった（例えば、特許文献１参照）。
【先行技術文献】
【特許文献】
【０００３】
【特許文献１】特開２０１７−１７６６６５号公報
【発明の概要】
【発明が解決しようとする課題】
【０００４】
従来のアームガードは、図11に示すように、腕保護体90の左右側端縁91，91に、ベルト部材92の左右端部92ｄ，92ｄ夫々を、縫着していた。そして、上腕部Ｊに、腕保護体90を当接させて、ベルト部材92のベルト帯体93の長さを調整しつつ、巻き付けて取着すると、図12に示すように、腕保護体90の各側端縁91に、上腕部Ｊへ引き寄せるような圧迫力（ベルト締付力）Ｚが集中的に作用して、装着者が圧迫感や痛み等の不快感を受ける（装着感が悪い）といった問題があった。特に、腕保護体90内部の弯曲板状芯材94が硬質樹脂製の場合は、このような集中的な締付力Ｚによって、腕保護体90の左右中央領域が外方側へ膨らんで、上腕部Ｊとの間に隙間Ｙが生じて位置ズレしやすくなる（フィト感が悪くなる）という問題もあった。また、腕保護体90とベルト部材92との縫着部95（図11に於て太い一点鎖線で図示する）が破損しやすくなり、しかも、破損した場合に修理に手間と時間がかかるといった問題があった。
【０００５】
そこで、本発明は、圧迫感や痛み等の不快感を軽減しながらも、人体の上腕部と上腕保護体を密着させて位置ズレを防止可能で、しかも、耐久性に優れると共に修理が容易なアームガードの提供を目的とする。
【課題を解決するための手段】
【０００６】
本発明のアームガードは、上腕保護体と、人体の上腕部に巻き付けて取着されるベルト部材とを、面状ファスナを介して、着脱自在に連結したものである。
また、上記上腕保護体は、下方へ一体延伸状の肘保護垂下部を有する。
また、上記上腕保護体は、下端部に、肘保護体が連繋されている。
また、上記上腕保護体に設けた上記面状ファスナの雌雄一方部の上下幅寸法を、上記ベルト部材の上記面状ファスナの雌雄他方部の上下幅寸法よりも、大きく設定したものである。
また、上記上腕保護体は、上記面状ファスナの雌雄一方部を、横断面弯曲状の表て面に左右方向に沿って有し、上記ベルト部材は、上記面状ファスナの雌雄他方部を、上記上腕保護体の左右半部夫々に取着可能に左右一対有し、上記ベルト部材を上記上腕部に巻き付けて取着した装着状態において、上記上腕保護体の一側端縁から他側端縁までの周方向長さに対して、上記上腕保護体の各側端縁から上記ベルト部材の各ファスナ先端縁までの周方向取付け長さを、２０％以上５０％以下に設定したものである。
【発明の効果】
【０００７】
本発明によれば、装着した際の圧迫感や痛み等の不快感を軽減できる。人体の上腕部と上腕保護体を密着させて位置ズレを防止できる。つまり、装着感（フィト感）が改善され、打者がバットを振りやすくなってプレーに集中させることができる。上腕保護体とベルト部材の内、損傷した方のみを、交換することで、修理を完了でき、修理待ち時間（修理納期）を大幅に削減できる。上腕保護体とベルト部材との縫着部のほつれや破れが無くなって耐久性が向上する。上腕保護体及びベルト部材を、色や模様等のデザインが相互に異なるように複数種類設けることで、購入者の希望に応じて、上腕保護体とベルト部材とのデザインの組み合わせを選択でき、購買意欲を誘発して、販売促進に貢献できる。
【図面の簡単な説明】
【０００８】
【図１】本発明の実施の一形態を示す斜視図である。
【図２】正面図である。
【図３】横断面図である。
【図４】装着準備状態を示す横断面図である。
【図５】装着状態を示す横断面図である。
【図６】作用を説明するための横断面図である
【図７】作用を説明するための正面図である。
【図８】他の実施形態を示す斜視図である。
【図９】装着状態の他の一例を示す横断面図である。
【図１０】装着状態の別の一例を示す横断面図である。
【図１１】従来技術を示す横断面図である。
【図１２】従来技術の装着状態を示す横断面図である。
【発明を実施するための形態】
【０００９】
以下、図示の実施形態に基づき本発明を詳説する。
本発明のアームガードは、図１に示すように、人体の上腕部Ｊを保護するための上腕保護体１と、上腕部Ｊに巻き付けて取着されるベルト部材２とを、備えている。例えば、野球やソフトボール等の球技の打者に装着されるものである。
【００１０】
図２と図３に示すように、上腕保護体１は、横断面弯曲状の表て面１ａに、面状ファスナＦの雌雄一方部Ｆａを、左右方向に沿って帯状に有している。ベルト部材２は、左右のベルト端部21，21の裏面に、面状ファスナＦの雌雄他方部Ｆｂを有している。
つまり、上腕保護体１の表て面１ａに、ベルト部材２の左右のベルト端部21，21夫々を、面状ファスナＦを介して、着脱自在に連結可能に構成している。
【００１１】
上腕保護体１は、自由状態（非装着状態）で、全体がアーチ型の弯曲形状に形成されている。上腕保護体１は、雌雄一方部Ｆａを形成するための部材（ファスナ雌雄一方部材）が縫着された表て生地15と、樹脂製の弯曲板状芯材16と、裏生地17と、を積層状に配設し、外周縁の全周に渡って縁巻部材18を縫製（縫着）して一体化している。
【００１２】
ベルト部材２は、上腕部Ｊに巻き付くための伸縮自在な（弾性の）ベルト帯体23と、雌雄他方部Ｆｂを裏面に有する左右一対の取着片22，22と、取着片22とベルト帯体23を連結するための左右一対の環状の連結具24，24と、を備えている。ベルト帯体23の一端部23ｅは、一方の連結具24（24ｅ）に挿通され、折り返し部位が縫着されている。ベルト帯体23の他端部23ｆは、他方の連結具24（24ｆ）に挿通されて折り返され（折返部し部23ｋを形成し）、折返し挿通長さが調整自在である。この折返し挿通長さを調整することで、ベルト部材２全体の長さを調整可能としている。
【００１３】
ここで、アームガードの構成と作用を使用方法と合わせて説明する。
図４に示すように、ベルト部材２の左右一対の取着片22，22を、上腕保護体１の左右半部夫々に配設して、上腕保護体１の雌雄一方部Ｆａに、ベルト部材２の雌雄他方部Ｆｂ，Ｆｂを、係合させて連結する。なお、図４乃至図６、図９と図10において、上腕保護体１は簡略化して図示している。
【００１４】
図５に示すように、ベルト部材２を上腕部Ｊに巻き付けて取着した装着状態において、横断面視で、ベルト部材２の左右ベルト端部21，21及びその近傍（取着片22，22と連結具24，24とベルト帯体23の一端部23ｅ及び長さ調整用折返し部23ｋ）によって、上腕保護体１の左右半部夫々を、表て面１ａの周方向に沿った長い範囲で、上腕部Ｊへ押し付けて、上腕保護体１を上腕部Ｊに沿うように弾性変形させる。
【００１５】
このように、上腕保護体１をベルト部材２にて広範囲で押し付けるため、上腕部Ｊを押圧する圧迫力（締付力）Ｚが分散されると共に、上腕保護体１と上腕部Ｊの間で隙間（図12の従来技術のような隙間Ｙ）が形成されず、上腕保護体１を上腕部Ｊに密着させながらも、装着者に圧迫感や痛み等の不快感を与えず、快適な装着感が得られる。また、位置ズレを防止でき良好なフィット感も得られる。
【００１６】
ここで、雌雄一方部Ｆａを含む表て面１ａの横断面において、上腕保護体１の一側端縁11ｅから他側端縁11ｆまでの長さを、周方向長さＬと呼ぶ。また、上記装着状態において、上腕保護体１の各側端縁11ｅ，11ｆからベルト部材２の各ファスナ先端縁（取着片22の先端縁）２ｄまでを周方向取付け長さＳと呼ぶ。
【００１７】
上記装着状態において、周方向長さＬに対して（周方向長さを１００％とすると）、周方向取付け長さＳを、２０％以上５０％以下に設定するのが好ましい。
２０％未満であると、ベルト部材２による締付力Ｚが、上腕保護体１の両側端縁11ｅ，11ｆに集中して装着者に不快感を与える虞れや、上腕保護体１の両側端縁11ｅ，11ｆのみを上腕部Ｊへ引き寄せてしまい、上腕部Ｊと上腕保護体１との間に隙間が生じる虞れがある。また、５０％を越えると、装着作業が困難になると共に、ベルト帯体23等を長く設ける必要があり無駄が生じる。
【００１８】
また、上腕保護体１に面状ファスナＦを介して、ベルト部材２を着脱自在に連結しているので、図６に二点鎖線で示すように、各ベルト端部21（各取着片22）の取付け位置が、上腕保護体１の表て面１ａの周方向に沿って、調整（変更）自在である。従って、装着者の体格の個人差や装着感の好みに容易に対応できる。
【００１９】
また、図２と図７に示すように、上腕保護体１に設けた雌雄一方部Ｆａの上下幅寸法（第１幅寸法）Ｗ１を、ベルト部材２の雌雄他方部Ｆｂの上下幅寸法（第２幅寸法）Ｗ２よりも、大きく設定しているので、図６に、二点鎖線で示すように、各ベルト端部21（各取着片22）の取付け位置が、上腕保護体１の上下方向に沿って、調整（変更）自在である。従って、装着者の体格の個人差や装着感の好みに容易に対応できる。
【００２０】
例えば、第１幅寸法Ｗ１は、第２幅寸法Ｗ２の１．２倍以上２．５倍以下に設定するのが好ましい。１．２倍未満であると上下位置の変更範囲が小さくなって、様々な装着者の好みに対応できない虞れがある。２．５倍を超えると上下位置の変更範囲が大きくなり過ぎて、雌雄一方部Ｆａを形成するための部材に無駄が生じる。
なお、図２に於ては、第１幅寸法Ｗ１を第２幅寸法Ｗ２の１．２倍に設定した場合を図示し、図５に於ては、第１幅寸法Ｗ１を第２幅寸法Ｗ２の１．５倍に設定した場合を図示している。
【００２１】
また、図例では、ベルト帯体23の一端部（固定側端部）23ｅを、上腕保護体１の図面左側の半部に取着し、ベルト帯体23の長さ調整用折返し部23ｋを、上腕保護体１の図面右側の半部に取着している場合を図示しているが、左右を入れ替えて、上腕保護体１にベルト部材２を連結することも可能である。従って、装着者の利き腕やベルト装着のしやすさ等の好みに応じて、左右付け替え可能で、使い勝手が良い。
【００２２】
また、図１と図２と図７に示すように、上腕保護体１は、下方へ一体延伸状の肘保護垂下部１ｄを有している。つまり、上腕保護体１は、人体の上腕部Ｊ乃至肘部を保護可能である。
【００２３】
また、他の実施形態は、図８に示すように、上腕保護体１の下端部に、肘保護体８を、連結片７を介して連繋したものである。他の構成及び作用効果は、上述の実施形態と同様である。
【００２４】
また、図示省略するが、上腕保護体１を、色や模様等のデザインが相互に異なるように複数種類設けると共に、ベルト部材２を色や模様等のデザインが相互に異なるように複数種類設け、（それら一揃えの中から）択一的に選択して組み合わせ可能とするも良い。購入者の希望に応じて、上腕保護体１とベルト部材２とのデザインの組み合わせを選択でき、購買意欲を高めて販売促進に貢献できる。
【００２５】
また、図３乃至図５に於て、ベルト部材２の装着構造は、ベルト帯体23の他端部23ｆの折返し内面側に、ベルト装着用面状ファスナの雌雄他方部Ｆｂ´を設けている。他方の連結具24（24ｆ）を挿通したベルト帯体23の他端部23ｆを引き出して折り返し、その折り返した他端部23ｆの雌雄他方部Ｆｂ´を、上腕保護体１の雌雄一方部Ｆａに係合することで、ベルト帯体23の折返し挿通長さが保持されて、ベルト部材２を上腕部Ｊに巻き付け可能としている。このように構成することで、ベルト部材２を上腕保護体１に取着するための雌雄一方部Ｆａを、ベルト装着用（ベルト帯体23の折返し長さ保持用）として併用できて、製造が容易となる。
【００２６】
或いは、図９に示すように、ベルト部材２の他の装着構造として、ベルト帯体23の左右中間部の外面に、ベルト装着用面状ファスナの雌雄一方部Ｆａ´を設けて、折り返した他端部23ｆの雌雄他方部Ｆｂ´を、ベルト帯体23の雌雄一方部Ｆａ´に係合することで、ベルト帯体23の折返し量を保持して、巻き付け可能とするも良い。
【００２７】
または、図10に示すように、ベルト部材２の別の装着構造として、ベルト帯体23の他端部23ｆの折返し内面側に、ベルト装着用面状ファスナの雌雄一方部Ｆａ´を設けると共に、取着片22の表て面側にベルト装着用面状ファスナの雌雄他方部Ｆｂ´を設けて、折り返した他端部23ｆの雌雄一方部Ｆａ´を、取着片22の雌雄他方部Ｆｂ´に係合することで、ベルト帯体23の折返し量を保持して、巻き付け可能とするも良い。
【００２８】
なお、本発明は設計変更可能であって、表て生地15と裏生地17と縁巻部材18の材質は、合成樹脂製や合成皮革等、自由である。また、芯材16の材質は、発泡樹脂や硬質樹脂等自由である。また、取着片22は、雌雄他方部Ｆｂを形成するための帯状のファスナ雌雄他方部材を折り返して縫製したものが、製造が容易で好ましい。また、連結具24の構造（形状）や、ベルト部材２の長さ調整構造は、バックル部材やコキ部材等を用いるも良い。ベルト帯体23と取着片22の連結（取着）構造は連結具24を用いずに直接的に固着（縫着や接着）するも良い。言い換えると、ベルト帯体23に、雌雄他方部Ｆｂを直接に設けるも良い。なお、図３と図11の太い一点鎖線は、縁巻部の縫製（縫着）のミシン目やミシン糸を、簡略して図示したものである。また、他の縫製部は、図示省略している。
【００２９】
以上のように、本発明は、上腕保護体１と、人体の上腕部Ｊに巻き付けて取着されるベルト部材２とを、面状ファスナＦを介して、着脱自在に連結したので、装着した際の圧迫感や痛み等の不快感を軽減できる。上腕部Ｊと上腕保護体１を密着させて位置ズレを防止できて、装着感（フィト感）が改善され、打者がバットを振りやすくなってプレーに集中させることができる。上腕保護体１とベルト部材２の内、損傷した方のみを、交換することで、修理を完了できる。つまり、修理待ち時間（修理納期）を大幅に軽減できる。上腕保護体１とベルト部材２との縫着部のほつれや破れが無くなって耐久性を向上できる。上腕保護体１及びベルト部材２を、色や模様等のデザインが相互に異なるように複数種類設けて、購入者の希望に応じて、上腕保護体１とベルト部材２とのデザインの組み合わせを選択でき、購買意欲を高めて、販売促進に貢献できる。
【００３０】
また、上腕保護体１は、下方へ一体延伸状の肘保護垂下部1ｄを有するので、１回の装着で人体の上腕部Ｊ乃至肘部を保護できて、装着時間を削減できる。また、容易（安価）に製作できる。違和感や圧迫感を与えずに肘部を保護できる。
【００３１】
また、上腕保護体１は、下端部に、肘保護体８が連繋されているので、装着者（打者）が様々な姿勢に追従でき、確実に肘部を保護することができる。人体（装着者）の腕を広範囲に渡って、確実に保護できる。
【００３２】
また、上記上腕保護体１に設けた上記面状ファスナＦの雌雄一方部Ｆａの上下幅寸法Ｗ１を、上記ベルト部材２の上記面状ファスナＦの雌雄他方部Ｆｂの上下幅寸法Ｗ２よりも、大きく設定したので、上腕保護体１に対して、ベルト部材２の上下位置を迅速に調整できる。装着者の体格の個人差や装着感の好みに容易に対応できる。
【００３３】
また、上記上腕保護体１は、上記面状ファスナＦの雌雄一方部Ｆａを、横断面弯曲状の表て面１ａに左右方向に沿って有し、上記ベルト部材２は、上記面状ファスナＦの雌雄他方部Ｆｂを、上記上腕保護体１の左右半部夫々に取着可能に左右一対有し、上記ベルト部材２を上記上腕部Ｊに巻き付けて取着した装着状態において、上記上腕保護体１の一側端縁11ｅから他側端縁11ｆまでの周方向長さＬに対して、上記上腕保護体１の各側端縁11ｅ，11ｆから上記ベルト部材２の各ファスナ先端縁２ｄまでの周方向取付け長さＳを、２０％以上５０％以下に設定したので、ベルト部材２による締付力Ｚが、上腕保護体１の左右側端縁11ｅ，11ｆに集中するのを（左右側端縁11ｅ，11ｆのみを上腕部Ｊ側へ引き寄せるのを）確実に防止でき、圧迫感や痛み等の不快感（違和感）を軽減できる。また、上腕保護体１の芯材16が硬質樹脂製のような硬い素材で形成されていても、上腕部Ｊと上腕保護体１との間に隙間が生じるのを確実に防止できる。
【符号の説明】
【００３４】
１  上腕保護体
１ａ  表て面
１ｄ  肘保護垂下部
２  ベルト部材
２ｄ  ファスナ先端縁
８  肘保護体
11ｅ  一側端縁
11ｆ  他側端縁
Ｆ  面状ファスナ
Ｆａ  雌雄一方部
Ｆｂ  雌雄他方部
Ｊ  上腕部
Ｌ  周方向長さ
Ｓ  周方向取付け長さ
Ｗ１  上下幅寸法
Ｗ２  上下幅寸法
【図１】
2019183302.tif 000003
【図２】
2019183302.tif 000004
【図３】
2019183302.tif 000005
【図４】
2019183302.tif 000006
【図５】
2019183302.tif 000007
【図６】
2019183302.tif 000008
【図７】
2019183302.tif 000009
【図８】
2019183302.tif 000010
【図９】
2019183302.tif 000011
【図１０】
2019183302.tif 000012
【図１１】
2019183302.tif 000013
【図１２】
2019183302.tif 000014